(57)【要約】【課題】複数枚の回路基板の電子機器への取り付け、取り外しが容易で作業性のよい回路基板取付構造を提供する。【解決手段】複数枚の回路基板２１、２２を、電子機器１の収容空間の内面より突出形成したネジ孔片１１、１２にネジ止めして、多層的に固定収容させた回路基板取付構造において、電子機器１に収容する回路基板２１、２２を平面視したときに、ネジ孔片１１、１２のそれぞれが、回路基板２１、２２に対して、収容空間の奥側から手前側に向かうにつれて、相互に重なり合いのない位置に変位して設けられている。【選択図】図１
2007299821.tif 000002
【特許請求の範囲】
【請求項１】
複数枚の回路基板を、電子機器の収容空間の内面より突出形成したネジ孔片にネジ止めして、多層的に固定収容させた回路基板取付構造において、
上記回路基板を平面視したときに、上記ネジ孔片のそれぞれが、上記回路基板に対して、上記収容空間の奥側から手前側に向かうにつれて、相互に重なり合いのない位置に変位して設けられていることを特徴とする電子機器の回路基板取付構造。
【請求項２】
請求項１において、
上記ネジ孔片は、上記それぞれの回路基板に対して、上記回路基板を平面視したときに、上下方向に変位して設けられていることを特徴とする電子機器の回路基板取付構造。
【請求項３】
請求項１において、
上記ネジ孔片は、上記それぞれの回路基板に対して、上記回路基板を平面視したときに、横方向に変位して設けられていることを特徴とする電子機器の回路基板取付構造。
【発明の詳細な説明】
【技術分野】
【０００１】
本発明は、複数枚の回路基板を電子機器の収容空間に多層的に固定収容させた回路基板取付構造に関するものである。
【背景技術】
【０００２】
電子機器では、複数枚の回路基板を多層的に内蔵する場合が多くある。例えば、次の特許文献には、空調制御装置として、ＡＢＳ樹脂等からなるケース本体に回路基板を２枚平行に収納した構造が開示されている。これらの基板は、結線作業を容易にするために段状に形成されたケース本体に合わせて、位置をずらせてネジ止めされる。
【特許文献１】実開平５−９０９８９号公報
【発明の開示】
【発明が解決しようとする課題】
【０００３】
また従来において、ケースに直接取り付けず、板金フレーム上に回路基板を重ねて装着する構造もとられている。図６は、そのような基板の多層取付構造を示したもので、（ａ）は２枚の基板を取り付けた状態の断面図、（ｂ）は取付状態を示した斜視図である。
【０００４】
板金フレーム１００にはネジ孔１０１ａ、１０２ａを有した２つの突出片１０１、１０２が形成されており、２枚の回路基板１０３、１０４は、このネジ孔１０１ａ、１０２ａに基板の孔を合わせてネジ１０５を螺入することによって、フレーム１００に固定される。
【０００５】
ところが、図６（ａ）に示すように突出片１０１、１０２のネジ孔１０１ａ、１０２ａは同じ位置にあり、図６（ｂ）に示すように、奥の基板１０３を取り付け、あるいは取り外す際には、手前側の突出片１０２がじゃまになるため、作業はきわめてしづらい。
【０００６】
本発明は、このような問題を解決すべく提案されたもので、その目的は、複数枚の回路基板の電子機器への取り付け、取り外しが容易で作業性のよい回路基板取付構造を提供することにある。
【課題を解決するための手段】
【０００７】
上記目的を達成するために、請求項１に記載の電子機器の回路基板取付構造は、複数枚の回路基板を、電子機器の収容空間の内面より突出形成したネジ孔片にネジ止めして、多層的に固定収容させた回路基板取付構造において、回路基板を平面視したときに、ネジ孔片のそれぞれが、回路基板に対して、収容空間の奥側から手前側に向かうにつれて、相互に重なり合いのない位置に変位して設けられている。
【０００８】
請求項２では、ネジ孔片は、それぞれの回路基板に対して、回路基板を平面視したときに、上下方向に変位して設けられている。
【０００９】
請求項３では、ネジ孔片は、それぞれの回路基板に対して、回路基板を平面視したときに、横方向に変位して設けられている。
【発明の効果】
【００１０】
請求項１〜３に記載の電子機器の回路基板取付構造によれば、回路基板を平面視したときに、ネジ孔片のそれぞれが相互に重なり合いのない位置に変位して設けられているため、奥側の回路基板を取り付け、取り外しする際でも、手前側のネジ孔片がじゃまにならず、効率よく作業することができる。
【発明を実施するための最良の形態】
【００１１】
以下に、本発明の実施形態について添付図面とともに説明する。
【実施例１】
【００１２】
図１は、本発明の電子機器の回路基板取付構造の一例を示す電子機器内部の取付構造斜視図で、（ａ）は奥側の回路基板、（ｂ）は手前側の回路基板の取付手順を示している。また図２（ａ）はネジ孔片の配置を示した斜視図、（ｂ）は模式平面図である。
【００１３】
この電子機器１は、電子部品３０を実装した複数の回路基板２１、２２を多層的に固定収容しており、回路基板２１、２２を電子機器１の内部で固定させるために、収容空間の内面より突出形成させたネジ孔片１１、１２を備えている。ここでは、奥側の回路基板２１と手前側の回路基板２２の２枚を収容するものを示しているが、さらに多層のものでもよい。
【００１４】
ネジ孔片１１、１２はともに、電子機器１の側方側の板金フレーム１０の一部を内面側に切り起し形成したもので、長めのネジ孔片１１は奥側に収容する回路基板２１を、短めのネジ孔片１２は手前側に収容する回路基板２２を固定するために、それぞれの回路基板２１、２２の４隅に対応して設けられている。なお、ネジ孔片１１、１２は、それぞれの回路基板２１、２２について１箇所のみを図示している。また、ネジ孔片は板金フレーム１０を切り起し形成したものに限られず、内面に突出し、ネジ孔部を有した取付片であればよい。
【００１５】
図１、２に示すように、奥側と手前側のネジ孔片１１、１２は、回路基板２１、２２を平面視したときに、相互に重ならない横方向の位置に変位させて設けられている。図２（ｂ）に示すように、奥側のネジ孔片１１のネジ孔１１ａは、手前のネジ孔片１２と重ならない箇所に配置されている。
【００１６】
そのため、回路基板２１、２２を奥側、手前側の順で電子機器１の内部空間に収容させる場合、奥側の回路基板２１をネジ孔片１１に孔合わせしてネジ２５を螺入するときに手前のネジ孔片１２が作業のじゃまにならず、作業効率がきわめてよい。また、手前側、奥側の順で取り外す場合も、奥側に取り付けたネジ２５を取り外すときに手前のネジ孔片１２がじゃまにならない。もちろん、手前側のネジ孔片１２は、それを隠蔽するものがないため、回路基板１２の取り付け、取り外しが容易であることはいうまでもない。
【００１７】
また、３枚以上の回路基板を収容する電子機器１の場合も、奥側のネジ孔片ほどネジ孔が横方向の中央寄りに位置するようにして、相互のネジ孔片が重ならないようにすればよい。
【００１８】
なお本例では、１隅に対応したネジ孔片１１、１２を、ともに一方側（図例では側方側）の板金フレーム１０に設けているが、一方を側方のフレーム１０に、他方を下方のフレーム１０Ａに設けるようにしてもよい。以下に説明する他例でも同様である。
【００１９】
図３〜図５には、ネジ孔片１１、１２の配置位置の他例を示し、それぞれの図の（ａ）にはネジ孔片１１、１２の配置を示した斜視図、（ｂ）は模式平面図を示している。なお、これらの図では回路基板の図示を省略する。
【００２０】
図３に示した回路基板構造では、奥側と手前側のネジ孔片１１、１２は、回路基板（本図では不図示）を平面視したときに、相互に重ならない上下方向の位置に変位して設けられている。つまり図３（ｂ）に示すように、奥側のネジ孔片１１のネジ孔１１ａは、手前のネジ孔片１２よりも上方で、そのネジ孔片１２と重ならない箇所に配置されているため、ネジ止め作業が効率的に行える。
【００２１】
図４に示した回路基板構造では、奥側と手前側のネジ孔片１１、１２は、回路基板（本図では不図示）を平面視したときに、相互に重ならない斜め方向の位置に変位して設けられている。つまり図４（ｂ）に示すように、奥側のネジ孔片１１を手前のものより大きく形成し、そのネジ孔１１ａが、手前のネジ孔片１２よりも斜め上方で、そのネジ孔片１２と重ならない箇所に配置されているため、ネジ止め作業が効率的に行える。
【００２２】
また図５に示した回路基板構造では、奥側と手前側のネジ孔片１１、１２は、回路基板（本図では不図示）を平面視したときに、相互に重ならない上下方向の位置に変位して設けられている。この例では、手前側のネジ孔片１２は板金フレーム１０の一部を切り起し形成たものであるが、フレームの一部を切り取ることによって、奥側のネジ孔片１１と手前側のネジ孔片１２とが全く重ならないようにしている。そのため、ネジ止め作業は効率的に行える。
【図面の簡単な説明】
【００２３】
【図１】本発明の電子機器の回路基板取付構造の一例を示すもので、（ａ）は電子機器内部の回路基板（奥側）の取付構造斜視図、（ｂ）は回路基板（手前側）の取付構造斜視図である。
【図２】本発明の電子機器の回路基板取付構造の一例を示すもので、（ａ）はネジ孔片の配置を示した斜視図、（ｂ）は模式平面図である。
【図３】本発明の電子機器の回路基板取付構造の他例を示すもので、（ａ）はネジ孔片の配置を示した斜視図、（ｂ）は模式平面図である。
【図４】本発明の電子機器の回路基板取付構造の他例を示すもので、（ａ）はネジ孔片の配置を示した斜視図、（ｂ）は模式平面図である。
【図５】本発明の電子機器の回路基板取付構造の他例を示すもので、（ａ）はネジ孔片の配置を示した斜視図、（ｂ）は模式平面図である。
【図６】（ａ）従来の回路基板取付構造を示す縦断面図、（ｂ）取り付け、取り外し説明図である。
【符号の説明】
【００２４】
１      電子機器
１０、１０Ａ      板金フレーム
１１      ネジ孔片（奥側）
１１ａ      ネジ孔
１２      ネジ孔片（手前側）
１２ａ      ネジ孔
２１      回路基板（奥側）
２１ａ      ネジ挿入孔
２２      回路基板（手前側）
２２ａ      ネジ挿入孔
２５      ネジ
【図１】
2007299821.tif 000003
【図２】
2007299821.tif 000004
【図３】
2007299821.tif 000005
【図４】
2007299821.tif 000006
【図５】
2007299821.tif 000007
【図６】
2007299821.tif 000008